(57)【特許請求の範囲】
【請求項１】
基板を水平に保持する基板保持部と、
前記基板保持部に保持された基板に対して処理液を供給するノズルと、
前記基板保持部に保持されたときの基板の径方向周囲に位置するよう設けられた、前記ノズルにより基板に供給された後の処理液を受けるためのカップと、
前記基板保持部の上方に設けられ、清浄化されたガスを下方向に流すためのエアフードと、
前記基板保持部に保持された基板を上方から覆う進出位置と、水平方向において前記進出位置から退避した位置である退避位置との間で水平方向に移動する天板と、
前記カップの周囲に昇降自在に設けられ、上部に上部開口が形成された筒状のカップ外周筒と、
を備えたことを特徴とする液処理装置。
【請求項２】
前記カップ外周筒は、第１の位置と、前記第１の位置よりも上方に位置し、前記カップ外周筒の上端が前記カップの上方にある第２の位置との間で昇降するようになっており、
前記カップ外周筒が前記第２の位置にあるとともに前記天板が前記進出位置にあるときに、基板の液処理を行うための空間が前記カップ外周筒内に形成されるようになっていることを特徴とする請求項１記載の液処理装置。
【請求項３】
前記カップ外周筒は、前記第２の位置よりも上方に位置する第３の位置にも移動することができるようになっており、
前記カップ外周筒が前記第３の位置にあるときに、清浄化されたガスが流れる空間が当該カップ外周筒内に形成されるようになっていることを特徴とする請求項２記載の液処理装置。
【請求項４】
前記エアフードはその位置が固定されていることを特徴とする請求項１乃至３のいずれか一項に記載の液処理装置。
【請求項５】
前記エアフードは、前記基板保持部に保持された基板を上方から覆う進出位置と、水平方向において前記進出位置から退避した位置である退避位置との間で水平方向に移動するようになっており、前記エアフードが進出位置にあるときに、当該エアフードによりガスが流れる空間が当該カップ外周筒内に形成されるようになっていることを特徴とする請求項１または２記載の液処理装置。
【請求項６】
前記カップ外周筒の側面には側面開口が形成されており、
前記ノズルを支持し、前記カップ外周筒が前記第１の位置にあるときに当該カップ外周筒の側面の前記側面開口を介して当該カップ外周筒内に進出した進出位置と前記カップ外周筒から外方に退避した退避位置との間で水平方向に移動するノズル支持アームが設けられていることを特徴とする請求項１乃至５のいずれか一項に記載の液処理装置。
【請求項７】
前記天板には、水平面上で当該天板を回転させる天板回転機構が設けられていることを特徴とする請求項１乃至６のいずれか一項に記載の液処理装置。
【請求項８】
前記天板を加熱するための天板加熱機構を更に備えたことを特徴とする請求項１乃至７のいずれか一項に記載の液処理装置。
【請求項９】
前記天板を保持する天板保持アームと、
前記天板保持アームの基端に設けられた軸と、
を更に備え、
前記軸を中心として前記天板保持アームが回動することにより前記天板が前記進出位置と前記退避位置との間で移動自在となっていることを特徴とする請求項１乃至８のいずれか一項に記載の液処理装置。
【請求項１０】
前記天板が前記退避位置に退避したときに当該天板を収納する天板収納部を更に備えたことを特徴とする請求項１乃至９のいずれか一項に記載の液処理装置。
【請求項１１】
前記天板収納部には、当該天板収納部に収納された前記天板を洗浄するための天板洗浄機構が設けられていることを特徴とする請求項１０記載の液処理装置。
【請求項１２】
前記ノズルにより供給される処理液は硫酸と過酸化水素水との混合液であることを特徴とする請求項１乃至１１のいずれか一項に記載の液処理装置。
【請求項１３】
前記基板保持部に保持された基板に対して前記ノズルにより処理液が供給された後であって、前記エアフードが前記下降位置に移動した後に、当該エアフードにより清浄化されたガスが下方向に流されながら、前記処理液よりも低温の他の処理液により基板に対して追加の液処理が行われることを特徴とする請求項１乃至１２のいずれか一項に記載の液処理装置。
【請求項１４】
前記低温の他の処理液は、アンモニア水と過酸化水素水の混合液であることを特徴とする請求項１３記載の液処理装置。
【請求項１５】
基板を水平姿勢で保持する工程と、
保持された基板を上方から天板で覆う工程と、
保持された基板の側方にカップ外周筒を移動させ、当該カップ外周筒により基板を側方から覆う工程と、
前記カップ外周筒により基板が側方から覆われるとともに前記天板により基板が上方から覆われた状態で当該基板に対して上方から処理液を供給することにより基板の液処理を行う工程と、
前記天板を、水平方向において基板を上方から覆う位置から退避した退避位置に水平方向に移動させる工程と、
エアフードにより基板が上方から覆われた状態で基板を乾燥する工程と、
を備えたことを特徴とする液処理方法。
【請求項１６】
前記天板を、水平方向において基板を上方から覆う位置から退避した退避位置に水平方向に移動させた後、前記カップ外周筒を上方に移動させ、前記エアフードによりガスが流れる空間を前記カップ外周筒内に形成することを特徴とする請求項１５記載の液処理方法。
【請求項１７】
基板の液処理を行う工程において基板に対して供給される処理液は硫酸と過酸化水素水との混合液であることを特徴とする請求項１５または１６記載の液処理方法。
【請求項１８】
基板の液処理を行った後、基板の乾燥を行う前に、前記エアフードにより清浄化されたガスを下方向に流しながら、前記処理液よりも低温の他の処理液により基板に対して追加の液処理を行うことを特徴とする請求項１５乃至１７のいずれか一項に記載の液処理方法。
【請求項１９】
前記低温の他の処理液は、アンモニア水と過酸化水素水の混合液であることを特徴とする請求項１８記載の液処理方法。
【請求項２０】
前記カップ外周筒を洗浄するための、洗浄液を貯留する貯留部分を有する洗浄部が設けられており、
前記カップ外周筒が下降したときに当該カップ外周筒が前記貯留部分に貯留された洗浄液に浸されるようになっており、
前記カップ外周筒により基板が側方から覆われるとともに前記天板が基板を上方から覆う位置にあるときに、基板の液処理を行うための空間が当該カップ外周筒内に形成されるようになっており、
前記空間内で保持された基板に対して処理液を供給した後、前記カップ外周筒が下降することにより当該カップ外周筒を前記洗浄部により洗浄する工程を更に備えたことを特徴とする請求項１５乃至１９のいずれか一項に記載の液処理方法。
【発明の詳細な説明】
【技術分野】
【０００１】
本発明は、基板を水平状態に保持した状態で回転させながら当該基板に処理液を供給することにより基板に洗浄処理やエッチング処理等の所定の液処理を行う液処理装置および液処理方法に関する。
【背景技術】
【０００２】
半導体デバイスの製造工程において、半導体ウエハ等の基板（以下、単に「ウエハ」ともいう）に形成された処理対象膜の上に所定のパターンでレジスト膜が形成され、このレジスト膜をマスクとしてエッチング、イオン注入等の処理が処理対象膜に施されるようになっている。処理後、不要となったレジスト膜はウエハ上から除去される。
【０００３】
レジスト膜の除去方法として、ＳＰＭ処理がよく用いられている。ＳＰＭ処理は、硫酸と過酸化水素水とを混合して得たＳＰＭ（Sulfuric Acid Hydrogen Peroxide Mixture）液を加熱してレジスト膜に供給することにより行われる。
【０００４】
ＳＰＭ処理においては、一般に、高温に加熱されたＳＰＭ液がウエハに向けて吐出される。このため、ＳＰＭ液が蒸発しヒューム（fume）が発生する場合がある。このヒュームは、レジスト除去装置のチャンバ内の広範囲に拡散して、チャンバ内壁およびチャンバ内部品を汚染し、ウエハ汚染の原因物質を発生させうるようになっている。
【０００５】
ヒュームがチャンバ内の広範囲に拡散して、チャンバ内壁およびチャンバ内部品を汚染するのを防ぐため、特許文献１において、ウエハを保持する基板保持部と、基板保持部に保持されたウエハの周囲を取り囲むとともに当該ウエハの上方に開口部を有する遮蔽壁と、この遮蔽壁の上方に設けられたカバー部材と、遮蔽壁とカバー部材との間の隙間を通して側方から差し入れられ、ウエハに向けてＳＰＭ液を吐出するノズルと、を備えたレジスト除去装置が提案されている。特許文献１に記載のレジスト除去装置によれば、遮蔽壁およびカバー部材により、ヒュームがチャンバ内の広範囲に拡散することを防ぐことができる。
【先行技術文献】
【特許文献】
【０００６】
【特許文献１】特開２００７−３５８６６号公報
【発明の概要】
【発明が解決しようとする課題】
【０００７】
しかしながら、特許文献１に記載のレジスト除去装置においては、カバー部材がヒュームによって汚染されることが考えられる。例えば、カバー部材によって押さえ込まれたヒュームがカバー部材上で凝縮し、カバー部材上に液滴が付着することや、ウエハに向けて吐出されたＳＰＭ液が飛散し、ＳＰＭ液の飛沫がカバー部材に付着することが考えられる。この場合、ＳＰＭ処理の後に実施される乾燥工程等の他の工程の際に、カバー部材に付着している液滴や飛沫がウエハ上に落下し、これによってウエハが汚染されることが考えられる。
【０００８】
本発明は、このような点を考慮してなされたものであり、ＳＰＭ処理時に天板に付着したヒュームが、ＳＰＭ処理の後に実施される乾燥工程等の工程時に基板に付着してしまうことを防止することができる液処理装置および液処理方法を提供することを目的とする。
【課題を解決するための手段】
【０００９】
本発明の液処理装置は、基板を水平に保持する基板保持部と、前記基板保持部に保持された基板に対して処理液を供給するノズルと、前記基板保持部に保持されたときの基板の径方向周囲に位置するよう設けられた、前記ノズルにより基板に供給された後の処理液を受けるためのカップと、前記基板保持部の上方に設けられ、清浄化されたガスを下方向に流すためのエアフードと、前記基板保持部に保持された基板を上方から覆う進出位置と、水平方向において前記進出位置から退避した位置である退避位置との間で水平方向に移動する天板と、前記カップの周囲に昇降自在に設けられ、上部に上部開口が形成された筒状のカップ外周筒と、を備えたことを特徴とする。
【００１０】
本発明の液処理方法は、基板を水平姿勢で保持する工程と、保持された基板を上方から天板で覆う工程と、保持された基板の側方にカップ外周筒を移動させ、当該カップ外周筒により基板を側方から覆う工程と、前記カップ外周筒により基板が側方から覆われるとともに前記天板により基板が上方から覆われた状態で当該基板に対して上方から処理液を供給することにより基板の液処理を行う工程と、前記天板を、水平方向において基板を上方から覆う位置から退避した退避位置に水平方向に移動させる工程と、エアフードにより基板が上方から覆われた状態で基板を乾燥する工程と、を備えたことを特徴とする。
【発明の効果】
【００１１】
本発明の液処理装置および液処理方法によれば、ＳＰＭ処理時に天板に付着したヒュームが、ＳＰＭ処理の後に実施される乾燥工程等の他の工程時に基板に付着してしまうことを防止することができる。
【図面の簡単な説明】
【００１２】
【図１】本発明の各実施の形態による液処理装置を含む液処理システムを上方から見た上面図である。
【図２】本発明の第１の実施の形態による液処理装置の側面図である。
【図３】図２に示す液処理装置のＡ−Ａ矢視による上面図である。
【図４】図２に示す液処理装置のＢ−Ｂ矢視による上面図である。
【図５】図２に示す液処理装置における基板保持部およびその周辺に位置する構成要素を示す縦断面図である。
【図６】図２に示す液処理装置における天板およびその周辺に位置する構成要素を示す縦断面図である。
【図７】図２に示す液処理装置におけるエアフードおよびその周辺に位置する構成要素を示す縦断面図である。
【図８】図２に示す液処理装置における各ノズルおよび各ノズル支持アームの構成を示す説明図である。
【図９】（ａ）〜（ｆ）は、図２に示す液処理装置により行われるウエハの洗浄処理の一連の工程を順次示す説明図である。
【図１０】（ｇ）〜（ｌ）は、図２に示す液処理装置により行われるウエハの洗浄処理の一連の工程を順次示す説明図である。
【図１１】（ｍ）〜（ｏ）は、図２に示す液処理装置により行われるウエハの洗浄処理の一連の工程を順次示す説明図である。
【図１２Ａ】図２に示す液処理装置における天板の他の構成を示す縦断面図である。
【図１２Ｂ】図２に示す液処理装置における天板およびカップ外周筒の更に他の構成を示す縦断面図である。
【図１３】図２に示す液処理装置における天板収納部の他の構成を示す縦断面図である。
【図１４】本発明の第２の実施の形態による液処理装置の側面図であって、カップ外周筒が第１の位置にあるときの状態を示す図である。
【図１５】本発明の第２の実施の形態による液処理装置の側面図であって、カップ外周筒が第１の位置よりも上方に位置する第２の位置にあるときの状態を示す図である。
【図１６】本発明の第２の実施の形態による液処理装置の側面図であって、カップ外周筒が第２の位置よりも上方に位置する第３の位置にあるときの状態を示す図である。
【図１７】本発明の第２の実施の形態における液処理装置の変形例の側面図である。
【発明を実施するための形態】
【００１３】
〔第１の実施の形態〕
以下、図面を参照して本発明の第１の実施の形態について説明する。図１乃至図１１は、第１の実施の形態による液処理装置を示す図である。より詳細には、図１は、本発明の各実施の形態による液処理装置を含む液処理システムを上方から見た上面図である。また、図２は、第１の実施の形態による液処理装置の側面図であり、図３および図４は、それぞれ、図２に示す液処理装置のＡ−Ａ矢視、Ｂ−Ｂ矢視による上面図である。また、図５は、図２に示す液処理装置における基板保持部およびその周辺に位置する構成要素を示す縦断面図であり、図６は、図２に示す液処理装置における天板およびその周辺に位置する構成要素を示す縦断面図である。また、図７は、図２に示す液処理装置におけるエアフードおよびその周辺に位置する構成要素を示す縦断面図であり、図８は、図２に示す液処理装置における各ノズルおよび各ノズル支持アームの構成を示す説明図である。また、図９乃至図１１は、図２に示す液処理装置により行われるウエハの洗浄処理の一連の工程を順次示す説明図である。
【００１４】
まず、図１を用いて、本実施の形態による液処理装置を含む液処理システムについて説明する。図１に示すように、液処理システムは、外部から被処理基板としての半導体ウエハ等の基板Ｗ（以下、ウエハＷともいう）を収容したキャリアを載置するための載置台１０１と、キャリアに収容されたウエハＷを取り出すための搬送アーム１０２と、搬送アーム１０２によって取り出されたウエハＷを載置するための棚ユニット１０３と、棚ユニット１０３に載置されたウエハＷを受け取り、当該ウエハＷを液処理装置１０内に搬送する搬送アーム１０４と、を備えている。図１に示すように、液処理システムには、複数（図１に示す態様では４個）の液処理装置１０が設けられている。
【００１５】
次に、本実施の形態による液処理装置１０の概略的な構成について図２乃至図４を用いて説明する。
【００１６】
図２乃至図４に示すように、本実施の形態による液処理装置１０は、ウエハＷが収容され、この収容されたウエハＷの液処理が行われるチャンバ２０と、チャンバ２０に隣接して形成された待機領域８０と、を備えている。なお、本実施の形態による液処理装置１０では、チャンバ２０と待機領域８０とを隔てる区画壁は設けられておらず、チャンバ２０および待機領域８０は連通している。図２に示すように、チャンバ２０内には、ウエハＷを水平状態で保持して回転させるための基板保持部２１が設けられており、この基板保持部２１の周囲にはリング状の回転カップ４０が配設されている。回転カップ４０は、ウエハＷの液処理を行う際に当該ウエハＷに供給された後の処理液を受けるために設けられている。また、図２および図３に示すように、チャンバ２０内において回転カップ４０の周囲には円筒状のカップ外周筒５０が配設されている。後述するように、このカップ外周筒５０はウエハＷの処理状況に応じて昇降可能となっている。これらの基板保持部２１、回転カップ４０およびカップ外周筒５０の構成の詳細については後に説明する。
【００１７】
また、図２に示すように、液処理装置１０には、基板保持部２１に保持されたウエハＷに対して上方から処理液を供給するためのノズル（進退ノズル）８２ａおよびこのノズル８２ａを支持するノズル支持アーム８２が設けられている。図３に示すように、１つの液処理装置１０には複数（具体的には例えば４つ）のノズル支持アーム８２が設けられており、各ノズル支持アーム８２の先端にそれぞれノズル８２ａが設けられている。また、図２に示すように、各ノズル支持アーム８２にはアーム支持部８２ｂが設けられており、各アーム支持部８２ｂは図示しない駆動機構によって図２における左右方向に駆動されるようになっている。このことにより、各ノズル支持アーム８２は、後述する側面開口５０ｍを介してカップ外周筒５０内に進出した進出位置と、カップ外周筒５０から退避した退避位置との間で水平方向に直線運動を行うようになっている（図２および図３における各ノズル支持アーム８２に設けられた矢印参照）。
【００１８】
また、図２および図４に示すように、基板保持部２１に保持されたウエハＷを上方から覆うための天板３２が水平方向に移動自在に設けられている。より具体的には、天板３２は、図４の実線に示すような、基板保持部２１により保持されたウエハＷを上方から覆う進出位置と、図４の二点鎖線に示すような、水平方向において進出位置から退避した位置である退避位置との間で往復移動を行うようになっている。天板３２の構成の詳細については後に説明する。
【００１９】
また、図２に示すように、基板保持部２１に保持されたウエハＷを上方から覆うためのエアフード７０が昇降自在に設けられている。このエアフード７０から、Ｎ２ガス（窒素ガス）やクリーンエア等の清浄化されたガスが下方向に流されるようになっている。より具体的には、エアフード７０は、基板保持部２１により保持されたウエハＷを上方から覆う下降位置と、下降位置よりも上方に位置する上昇位置との間で昇降自在に設けられている。なお、図２では、エアフード７０が上昇位置に位置しているときの状態を示している。エアフード７０の構成の詳細については後に説明する。
【００２０】
また、図２および図３に示すように、カップ外周筒５０の外側における待機領域８０の底部には排気部５８が設けられており、この排気部５８により待機領域８０内の雰囲気の排気が行われるようになっている。具体的には、各ノズル支持アーム８２を駆動するための駆動機構（図示せず）から発生するパーティクルを排気部５８により引くことができるようになっている。
【００２１】
また、図３および図４に示すように、液処理装置１０のチャンバ２０および待機領域８０のメンテナンス用の開口にはシャッター６０、６２がそれぞれ設けられている。チャンバ２０および待機領域８０にそれぞれメンテナンス用のシャッター６０、６２が設けられていることにより、これらのチャンバ２０内や待機領域８０内の機器を個別にメンテナンスすることができる。
【００２２】
また、図３に示すように、液処理装置１０の側壁には、搬送アーム１０４によりチャンバ２０内へウエハＷを搬入したりチャンバ２０からウエハＷを搬出したりするための開口９４ａが設けられており、この開口９４ａには、当該開口９４ａを開閉するためのシャッター９４が設けられている。
【００２３】
次に、図２乃至図４に示すような液処理装置１０の各構成要素の詳細について図５乃至図８を用いて説明する。
【００２４】
まず、図５を参照して、基板保持部２１について説明する。図５は、液処理装置１０の各構成要素のうち、基板保持部２１およびその周辺に位置する構成要素を示す縦断面図である。
【００２５】
図５に示すように、基板保持部２１は、ウエハＷを保持するための円板形状の保持プレート２６と、保持プレート２６の上方に設けられた円板形状のリフトピンプレート２２とを備えている。リフトピンプレート２２の上面には、ウエハＷを下方から支持するためのリフトピン２３が周方向に等間隔で３つ設けられている。なお、図５では２つのリフトピン２３のみを表示している。また、リフトピンプレート２２の下方にはピストン機構２４が設けられており、このピストン機構２４によりリフトピンプレート２２が昇降するようになっている。より具体的には、搬送アーム１０４（図１参照）によりウエハＷをリフトピン２３上に載置したりリフトピン２３上からウエハＷを取り出したりするときには、ピストン機構２４によりリフトピンプレート２２が図５に示すような位置から上方に移動させられ、このリフトピンプレート２２は回転カップ４０よりも上方に位置するようになる。一方、チャンバ２０内でウエハＷの液処理や乾燥処理等を行う際には、ピストン機構２４によりリフトピンプレート２２が図５に示すような下降位置に移動させられ、ウエハＷの周囲に回転カップ４０が位置するようになる。
【００２６】
保持プレート２６には、ウエハＷを側方から支持するための保持部材２５が周方向に等間隔で３つ設けられている。なお、図５では２つの保持部材２５のみを表示している。各保持部材２５は、リフトピンプレート２２が上昇位置から図５に示すような下降位置に移動したときにこのリフトピン２３上のウエハＷを側方から支持し、このウエハＷをリフトピン２３からわずかに離間させるようになっている。
【００２７】
また、リフトピンプレート２２および保持プレート２６の中心部分にはそれぞれ貫通穴が形成されており、これらの貫通穴を通るよう処理液供給管２８が設けられている。この処理液供給管２８は、保持プレート２６の各保持部材２５により保持されたウエハＷの裏面に薬液や純水等の様々な種類の処理液を供給するようになっている。また、処理液供給管２８はリフトピンプレート２２と連動して昇降するようになっている。処理液供給管２８の上端には、リフトピンプレート２２の貫通穴を塞ぐよう設けられたヘッド部分２８ａが形成されている。また、図５に示すように、処理液供給管２８には処理液供給部２９が接続されており、この処理液供給部２９により処理液供給管２８に様々な種類の処理液が供給されるようになっている。
【００２８】
また、保持プレート２６にはリング状の回転カップ４０が取り付けられており、これによって、図示しない接続部により、回転カップ４０は、保持プレート２６と一体的に回転するようになっている。回転カップ４０は、図５に示すように、保持プレート２６の各保持部材２５により支持されたウエハＷを側方から囲うよう設けられている。このため、回転カップ４０は、ウエハＷの液処理を行う際にこのウエハＷから側方に飛散した処理液を受けることができるようになっている。
【００２９】
また、回転カップ４０の周囲には、ドレインカップ４２および案内カップ４４がそれぞれ設けられている。ドレインカップ４２および案内カップ４４はそれぞれリング状に形成されている。また、ドレインカップ４２および案内カップ４４はそれぞれ上部に開口を有している。ここで、ドレインカップ４２はチャンバ２０内においてその位置が固定されている。一方、案内カップ４４には昇降シリンダ（図示せず）が連結されており、この案内カップ４４は昇降シリンダにより昇降させられるようになっている。
【００３０】
図５に示すように、ドレインカップ４２や案内カップ４４の下方には、第１排出部４６ａおよび第２排出部４６ｂがそれぞれ設けられている。そして、案内カップ４４の上下方向における位置により、ウエハＷの液処理を行う際にこのウエハＷから側方に飛散した処理液が、この処理液の種類に基づいて、２つの排出部４６ａ、４６ｂのうちいずれか一つの排出部に選択的に送られるようになっている。具体的には、案内カップ４４が上昇位置（図５に示すような状態）にあるときには、ウエハＷから側方に飛散した所定の処理液、例えば後述するＳＣ−１液が第２排出部４６ｂに送られるようになっている。一方、案内カップ４４が下降位置にあるときには、ウエハＷから側方に飛散した所定の処理液、例えば後述するＳＰＭ液が第１排出部４６ａに送られるようになっている。また、図５に示すように、第１排出部４６ａおよび第２排出部４６ｂには気液分離部４８ａ、４８ｂがそれぞれ接続されている。そして、第１排出部４６ａおよび第２排出部４６ｂにおいて排液のみならず排気も行われるようになっており、図５に示すように、気液分離部４８ａ、４８ｂにおいて第１排出部４６ａおよび第２排出部４６ｂから送られた処理液およびガスが分離されてそれぞれ排液および排気が行われるようになっている。
【００３１】
また、図５に示すように、ドレインカップ４２には、ウエハＷの中心に向かって純水を供給する固定リンスノズル４３が設けられている。この固定リンスノズル４３により、ウエハＷの中心に向かって純水等のリンス液が放物線状に吐出されるようになっている（図５の二点鎖線参照）。
【００３２】
また、本実施の形態の液処理装置１０においては、チャンバ２０内においてドレインカップ４２や案内カップ４４の周囲にカップ外周筒５０が設けられている。図５に示すように、カップ外周筒５０の上部には、このカップ外周筒５０を支持するための支持部材５３が連結されており、支持部材５３には当該支持部材５３を昇降させる駆動機構５４が設けられている。そして、駆動機構５４により支持部材５３を昇降させることにより、カップ外周筒５０は、図５に示すような、カップ外周筒５０の上端が回転カップ４０の上方にあるような上昇位置と、上昇位置よりも下方に位置する下降位置との間で昇降可能となっている。また、図３および図５に示すように、カップ外周筒５０の側面には、ノズル支持アーム８２が通過可能な側面開口５０ｍが設けられている。また、図５に示すように、カップ外周筒５０の上部にも上部開口５０ｎが形成されている。この上部開口５０ｎは、カップ外周筒５０が上昇位置にあるとともに天板３２が進出位置にあるときに、当該天板３２により塞がれるようになっている。
【００３３】
また、図５に示すように、チャンバ２０内には、カップ外周筒５０を洗浄するための洗浄部５２が設けられている。この洗浄部５２は、純水等の洗浄液を貯留するための貯留部分５２ａを有しており、カップ外周筒５０が下降位置にあるときにこのカップ外周筒５０が貯留部分５２ａに貯留された洗浄液に浸されるようになっている。洗浄部５２は、貯留部分５２ａに貯留された洗浄液にカップ外周筒５０が浸されることにより、このカップ外周筒５０の洗浄を行うようになっている。
【００３４】
貯留部分５２ａには図示しない洗浄液供給管が接続されており、この洗浄液供給管により貯留部分５２ａに洗浄液が連続的に送られるようになっている。また、貯留部分５２ａの側部にはドレイン管５２ｂが設けられており、このドレイン管５２ｂにより貯留部分５２ａ内の洗浄液が排出されるようになっている。すなわち、洗浄液供給管により貯留部分５２ａに洗浄液が連続的に送られ、この貯留部分５２ａ内の洗浄液がドレイン管５２ｂにより排出されることにより、貯留部分５２ａに貯留される洗浄液が清浄化されるようになっている。
【００３５】
図３に示すように、本実施の形態においては、１つの液処理装置１０に複数（具体的には例えば４つ）のノズル支持アーム８２が設けられており、各ノズル支持アーム８２の先端にノズル８２ａが設けられている。また、図２に示すように、各ノズル支持アーム８２にはアーム支持部８２ｂが設けられており、各アーム支持部８２ｂは図示しない駆動機構によって図２における左右方向に駆動されるようになっている。このことにより、各ノズル支持アーム８２は、側面開口５０ｍを通過してカップ外周筒５０内に進出した進出位置と、カップ外周筒５０内から退避した退避位置との間で水平方向に直線運動を行うようになっている（図２および図３における各ノズル支持アーム８２に設けられた矢印参照）。
【００３６】
また、図２に示すように、液処理装置１０内にはアーム洗浄部８８が設けられており、このアーム洗浄部８８により各ノズル支持アーム８２の洗浄が行われるようになっている。より詳細には、アーム洗浄部８８の位置は固定されるとともに、洗浄液が収容される収容部分（図示せず）がアーム洗浄部８８に設けられている。そして、各ノズル支持アーム８２が進出位置から退避位置に移動するとき、または退避位置から進出位置に移動するときに、収容部分に収容された洗浄液に各ノズル支持アーム８２の一部が接触しながら当該ノズル支持アーム８２が移動することによりノズル支持アーム８２の洗浄が行われるようになっている。
【００３７】
４つのノズル支持アーム８２（８２ｐ〜８２ｓ）のノズル８２ａからそれぞれ吐出される流体の詳細について、図８を参照して以下に説明する。
【００３８】
図８（ａ）に示すように、４つのノズル支持アーム８２のうち第１のノズル支持アーム８２ｐのノズル８２ａは下向きとなっており、この第１のノズル支持アーム８２ｐのノズル８２ａからは硫酸と過酸化水素水とを混合して得たＳＰＭ液がウエハＷに向かって下方に吐出されるようになっている。より詳細には、第１のノズル支持アーム８２ｐ内にはノズル８２ａに接続された処理液供給管８３ａが設けられており、並列に設けられた過酸化水素水供給部８３ｂおよび硫酸供給部８３ｃがそれぞれ流量調整弁および開閉弁を介して処理液供給管８３ａに接続されている。また、硫酸供給部８３ｃから供給された硫酸を加熱するためのヒータ８３ｄが設けられている。そして、過酸化水素水供給部８３ｂおよび硫酸供給部８３ｃから供給された過酸化水素水および硫酸が混合され、この硫酸と過酸化水素水とを混合して得たＳＰＭ液が処理液供給管８３ａを介して第１のノズル支持アーム８２ｐのノズル８２ａに送られるようになっている。また、硫酸供給部８３ｃから供給された硫酸をヒータ８３ｄにより加熱するとともに、硫酸と過酸化水素水とが混合したときの化学反応により反応熱が生じる。それによって、第１のノズル支持アーム８２ｐのノズル８２ａから吐出されるＳＰＭ液は、例えば１００℃以上、好ましくは１７０℃程度の高温となる。
【００３９】
また、図８（ｂ）に示すように、４つのノズル支持アーム８２のうち第２のノズル支持アーム８２ｑのノズル８２ａは上向きとなっており、このノズル支持アーム８２ｑのノズル８２ａからは天板３２を洗浄するための純水等の天板洗浄液が上方に吐出されるようになっている。より詳細には、第２のノズル支持アーム８２ｑ内にはノズル８２ａに接続された天板洗浄液供給管８４ａが設けられており、天板洗浄液供給部８４ｂが流量調整弁および開閉弁を介して天板洗浄液供給管８４ａに接続されている。そして、天板洗浄液供給部８４ｂから供給された純水等の天板洗浄液が天板洗浄液供給管８４ａを介して第２のノズル支持アーム８２ｑのノズル８２ａに送られるようになっている。
【００４０】
また、図８（ｃ）に示すように、４つのノズル支持アーム８２のうち第３のノズル支持アーム８２ｒのノズル８２ａは下向きとなっており、この第３のノズル支持アーム８２ｒのノズル８２ａからはアンモニア水と過酸化水素水との混合液（以下、「ＳＣ−１液」ともいう）や、加熱された純水がウエハＷに向かって下方に吐出されるようになっている。より詳細には、第３のノズル支持アーム８２ｒ内にはノズル８２ａに接続された処理液供給管８５ａが設けられており、並列に設けられた過酸化水素水供給部８５ｂ、アンモニア水供給部８５ｃ、純水供給部８５ｄおよび純水供給部８５ｆがそれぞれ流量調整弁および開閉弁を介して処理液供給管８５ａに接続されている。また、純水供給部８５ｄから供給された純水を加熱するためのヒータ８５ｅが設けられている。そして、純水供給部８５ｄ、８５ｆに対応する開閉弁が閉止された状態で、過酸化水素水供給部８５ｂおよびアンモニア水供給部８５ｃから供給された過酸化水素水およびアンモニア水が混合してＳＣ−１液が生成され、このＳＣ−１液が処理液供給管８５ａを介して第３のノズル支持アーム８２ｒのノズル８２ａに送られるようになっている。また、過酸化水素水供給部８５ｂ、アンモニア水供給部８５ｃおよび純水供給部８５ｆに対応する開閉弁をそれぞれ閉止した状態で、純水供給部８５ｄから供給された純水をヒータ８５ｅにより加熱して、処理液供給管８５ａを介して第３のノズル支持アーム８２ｒのノズル８２ａに加熱された純水を送ることもできる。また、過酸化水素水供給部８５ｂ、アンモニア水供給部８５ｃおよび純水供給部８５ｄに対応する開閉弁をそれぞれ閉止した状態で、純水供給部８５ｆから供給された常温の純水を第３のノズル支持アーム８２ｒのノズル８２ａに送ることもできる。なお、第３のノズル支持アーム８２ｒのノズル８２ａから吐出されるＳＣ−１液や純水は、第１のノズル支持アーム８２ｐのノズル８２ａから吐出されるＳＰＭ液よりも低温となっており、具体的には例えば８０℃未満となっている。
【００４１】
また、図８（ｄ）に示すように、４つのノズル支持アーム８２のうち第４のノズル支持アーム８２ｓのノズル８２ａは下向きの二流体ノズルとなっている。より詳細には、第４のノズル支持アーム８２ｓのノズル８２ａには純水供給管８６ａおよびＮ２ガス供給管８６ｃがそれぞれ接続されており、純水供給管８６ａには純水供給部８６ｂが接続されるとともにＮ２ガス供給管８６ｃにはＮ２ガス供給部８６ｄが接続されている。そして、純水供給部８６ｂから純水供給管８６ａを介して供給された純水と、Ｎ２ガス供給部８６ｄからＮ２ガス供給管８６ｃを介して供給されたＮ２ガスとが二流体ノズル内で混合することにより、この二流体ノズルから純水の液滴が下方に噴霧されるようになっている。
【００４２】
また、本実施の形態においては、第２のノズル支持アーム８２ｑの高さレベルは、第３のノズル支持アーム８２ｒの高さレベルよりも高くなっており、第２のノズル支持アーム８２ｑおよび第３のノズル支持アーム８２ｒが同時にカップ外周筒５０内に進出したときにアーム同士が衝突または干渉しないようになっている。このため、第２のノズル支持アーム８２ｑのノズル８２ａにより天板３２に対して洗浄液を供給する工程と、第３のノズル支持アーム８２ｒのノズル８２ａによりウエハＷに対してＳＣ−１液や純水を供給する工程を同時に行うことができるようになっている。
【００４３】
また、各ノズル支持アーム８２が退避位置にあるときに、当該ノズル支持アーム８２の先端部分が、上昇位置にあるときのカップ外周筒５０の側面開口５０ｍを塞ぐようになっている。このことにより、カップ外周筒５０内の雰囲気が側面開口５０ｍからカップ外周筒５０の外部に漏れ出ることを防止することができる。
【００４４】
次に、天板３２およびその周辺に位置する構成要素の詳細の構造について図６を用いて説明する。図６は、天板３２およびその周辺に位置する構成要素の構造を示す側断面図である。
【００４５】
図６に示すように、天板３２は天板保持アーム３５により保持されるようになっている。また、天板３２の上部には回転軸３４が取り付けられており、この回転軸３４と天板保持アーム３５との間にはベアリング３４ａが設けられている。このため、回転軸３４は天板保持アーム３５に対して回転することができるようになっている。また、回転軸３４にはプーリ３４ｂが取り付けられている。一方、天板保持アーム３５の基端部にはサーボモータ３６が設けられており、このサーボモータ３６の先端にもプーリ３６ｂが設けられている。そして、回転軸３４のプーリ３４ｂおよびサーボモータ３６のプーリ３６ｂには１本の無端状のタイミングベルト３６ａが張架されており、このタイミングベルト３６ａにより、サーボモータ３６による回転駆動力が回転軸３４に伝達され、天板３２が回転軸３４を中心として回転するようになっている。なお、サーボモータ３６にはケーブル３６ｃが接続されており、このケーブル３６ｃにより液処理装置１０の筐体の外部からサーボモータ３６に電力が供給されるようになっている。これらの回転軸３４、タイミングベルト３６ａ、サーボモータ３６等により、水平面上で天板３２を回転させる天板回転機構が構成されている。
【００４６】
また、図４および図６に示すように、天板保持アーム３５の基端には旋回軸３７が設けられており、天板保持アーム３５は旋回軸３７を中心として回動するようになっている。このことにより、天板３２は、図４の実線に示すような、基板保持部２１により保持されたウエハＷを上方から覆う進出位置と、図４の二点鎖線に示すような、水平方向において進出位置から退避した位置である退避位置との間で往復移動を行うようになる。
【００４７】
また、天板３２の外径は、カップ外周筒５０の内径よりもわずかに小さくなっている。天板３２が進出位置に移動した後、カップ外周筒５０が下降位置から上昇位置に上昇すると、カップ外周筒５０の上端が天板３２よりもわずかに高い位置に上昇することができる。そのため、天板３２がカップ外周筒５０内に収容されるようになっている。
【００４８】
また、図２および図４に示すように、液処理装置１０の待機領域８０には、天板３２が退避位置に退避したときに当該天板３２を収納する天板収納部３８が設けられている。この天板収納部３８の側方には開口が形成されており、天板３２が進出位置から退避位置に移動したときにこの天板３２は天板収納部３８の側方の開口を介して天板収納部３８内に完全に収納されるようになっている。また、天板収納部３８には排気部３９が設けられており、天板収納部３８内の雰囲気は常に排気部３９により排気されるようになっている。このことにより、ウエハＷの液処理を行う際に天板３２の下面にＳＰＭ液等の処理液の液滴が付着した場合でも、この天板３２が天板収納部３８内に収納されたときにはＳＰＭ液等の処理液の雰囲気は排気部３９により排気されるので、処理液の雰囲気が待機領域８０やチャンバ２０内に流出することはない。
【００４９】
次に、エアフード７０およびその周辺に位置する構成要素の詳細の構造について図７を用いて説明する。図７は、エアフード７０およびその周辺に位置する構成要素の構造を示す側断面図である。
【００５０】
図７に示すように、エアフード７０は、下部が開口したケーシング７２と、ケーシング７２の下部に設けられ複数の開口７７ａを有するパンチング板等の下板７７とを備えており、ケーシング７２内にはフィルター７６が一層または複数層設けられている。また、ケーシング７２の上部には可撓性のダクト７４が接続されており、このダクト７４は液処理装置１０の筐体の外部の環境に連通している。また、ダクト７４の基端部にはケーシング７２内にガスを送り込むためのファン（図示せず）が設けられている。また、下板７７には、ケーシング７２内のガスを下方に流すための開口７７ａが設けられている。このことにより、液処理装置１０の筐体の外部の環境からダクト７４を経由してケーシング７２内にガスが送られ、ケーシング７２内においてフィルター７６によりガスに含まれるパーティクルが除去された後、下板７７の開口７７ａにより清浄化されたガスが下方に流れるようになっている。
【００５１】
また、図７に示すように、エアフード７０には、当該エアフード７０を昇降させるエアフード昇降機構７８が設けられている。このエアフード昇降機構７８により、エアフード７０は、基板保持部２１に保持されたウエハＷを上方から覆う下降位置と、下降位置よりも上方に位置する上昇位置との間で昇降するようになっている。なお、前述したように、図２では、エアフード７０が上昇位置に位置しているときの状態を示している。
【００５２】
また、図２に示すように、液処理装置１０は、その全体の動作を統括制御するコントローラ２００を有している。コントローラ２００は、液処理装置１０の全ての機能部品（例えば、基板保持部２１、ピストン機構２４、サーボモータ３６、エアフード昇降機構７８等）の動作を制御する。コントローラ２００は、ハードウエアとして例えば汎用コンピュータと、ソフトウエアとして当該コンピュータを動作させるためのプログラム（装置制御プログラムおよび処理レシピ等）とにより実現することができる。ソフトウエアは、コンピュータに固定的に設けられたハードディスクドライブ等の記憶媒体に格納されるか、あるいはＣＤ−ＲＯＭ、ＤＶＤ、フラッシュメモリ等の着脱可能にコンピュータにセットされる記憶媒体に格納される。このような記憶媒体が図２において参照符号２０１で示されている。プロセッサ２０２は必要に応じて図示しないユーザーインターフェースからの指示等に基づいて所定の処理レシピを記憶媒体２０１から呼び出して実行させ、これによってコントローラ２００の制御の下で液処理装置１０の各機能部品が動作して所定の処理が行われる。コントローラ２００は、図１に示す液処理システム全体を制御するシステムコントローラであってもよい。
【００５３】
次に、上述した液処理装置１０を用いて、ウエハＷの上面にある不要なレジスト膜を除去する洗浄処理の一連の工程について図９乃至図１１を用いて説明する。以下に示す洗浄処理の一連の工程は、コントローラ２００が液処理装置１０の各機能部品の動作を制御することにより行われる。
【００５４】
まず、図９（ａ）に示すように、天板３２を退避位置に移動させ、この天板３２を天板収納部３８に収納させる。また、エアフード７０を図２に示す上昇位置から下降させ、下降位置に位置させる。また、カップ外周筒５０を下降位置に移動させ、基板保持部２１の側方を開くようにする。このような状態で、基板保持部２１におけるリフトピンプレート２２および処理液供給管２８を図５に示す位置から上方に移動させることと、チャンバ２０の開口９４ａに設けられたシャッター９４をこの開口９４ａから退避させることにより開口９４ａを開くことを行う。そして、液処理装置１０の外部からウエハＷが搬送アーム１０４により開口９４ａを介してチャンバ２０内に搬送され、このウエハＷがリフトピンプレート２２のリフトピン２３上に載置され、その後、搬送アーム１０４はチャンバ２０から退避する。この際に、各ノズル支持アーム８２はチャンバ２０から退避した退避位置に位置している。すなわち、各ノズル支持アーム８２は待機領域８０で待機している。また、エアフード７０からチャンバ２０内にクリーンエア等のガスが常にダウンフローで送られ、このガスが排気されることにより、チャンバ２０内の雰囲気の置換が行われるようになっている。
【００５５】
次に、リフトピンプレート２２および処理液供給管２８を下方に移動させ、これらのリフトピンプレート２２および処理液供給管２８を図５に示すような下降位置に位置させる。この際に、保持プレート２６に設けられた各保持部材２５が、リフトピン２３上のウエハＷを側方から支持し、このウエハＷをリフトピン２３からわずかに離間させる。
【００５６】
その後に、またはリフトピンプレート２２が下降した後に、図９（ｂ）に示すように、エアフード７０を下降位置から上昇位置に移動させ、その後、天板３２を退避位置から進出位置に移動させる。このことにより、基板保持部２１により保持されたウエハＷは天板３２によって覆われるようになる。また、天板３２が進出位置に移動した後、サーボモータ３６によって天板３２に回転駆動力を与えることにより、天板３２を水平面に沿って回転軸３４を中心として回転させる。その後、図９（ｃ）に示すように、カップ外周筒５０を下降位置から上昇させて上昇位置に位置させる。より詳細には、カップ外周筒５０の上端が天板３２よりもわずかに高い位置になるよう、天板３２をカップ外周筒５０内に収容するようにする。このことにより、ウエハＷの周囲には、天板３２とカップ外周筒５０とによって外部から隔離された空間が形成される。以下の説明において、天板３２およびカップ外周筒５０の内側に形成される、外部から隔離された空間のことを「第１の処理空間」と称する。後述するように、この第１の処理空間は、硫酸と過酸化水素水とを混合して得たＳＰＭ液によりウエハＷに対して液処理が行われる空間である。
【００５７】
そして、カップ外周筒５０が上昇位置に移動した後、待機領域８０で待機している４つのノズル支持アーム８２のうち第１のノズル支持アーム８２ｐがカップ外周筒５０の側面開口５０ｍを介してチャンバ２０内に進出する（図９（ｄ）参照）。この際に、第１のノズル支持アーム８２ｐは直線運動を行う。
【００５８】
次に、基板保持部２１における保持プレート２６およびリフトピンプレート２２を回転させる。このことにより、保持プレート２６の各保持部材２５により支持されているウエハＷも回転する。そして、ウエハＷが回転した状態で、カップ外周筒５０内に進出した第１のノズル支持アーム８２ｐのノズル８２ａからウエハＷの上面にＳＰＭ液を供給する。ここで、ウエハＷの上面に供給されるＳＰＭ液は高温、具体的には例えば１００℃以上、好ましくは１７０℃程度となっている。このようにして、ウエハＷの上面にＳＰＭ液が供給され、ウエハＷのＳＰＭ処理が行われる。この液処理工程によって、ウエハＷの表面のレジストがＳＰＭ液によって剥離され、ＳＰＭ液とともに剥離されたレジストが、回転するウエハＷの遠心力によって第１排出部４６ａに送られて回収される。具体的には、ウエハＷに対してＳＰＭ処理が行われる際には、案内カップ４４が下降位置に位置するようになっており、このことにより、ＳＰＭ液や剥離されたレジストは、第１排出部４６ａに送られて回収される。ここで、第１のノズル支持アーム８２ｐのノズル８２ａからウエハＷに向かってＳＰＭ液を吐出させながらこのノズル８２ａを図９（ｄ）における左右方向に移動させることにより、ウエハＷの全域にわたってまんべんなく均一にＳＰＭ液を供給することができるようになる。
【００５９】
ウエハＷに対してＳＰＭ処理が行われるときに、天板３２およびカップ外周筒５０の内側に第１の処理空間が形成されていることにより、この第１の処理空間内の雰囲気が外部に出ることを防ぐことができ、かつ、外部の雰囲気が第１の処理空間内に入るのを防ぐことができる。また、天板３２が水平面に沿って回転していることにより、天板３２に付着したＳＰＭ液等の処理液の液滴は遠心力によってカップ外周筒５０の内壁面に送られ、このカップ外周筒５０の内壁面に沿って自重により落下することにより、ＳＰＭ液等の処理液の液滴がウエハＷに再付着することが抑制される。
【００６０】
その後、ウエハＷに対するＳＰＭ処理が終了すると、図９（ｅ）に示すように、カップ外周筒５０内に進出した第１のノズル支持アーム８２ｐはこのチャンバ２０から退避して待機領域８０で待機するようになる。この際に、ウエハＷおよび天板３２は回転し続けている。また、第１のノズル支持アーム８２ｐがカップ外周筒５０内から退避して退避位置に移動する際に、アーム洗浄部８８により第１のノズル支持アーム８２ｐの洗浄が行われる。このことにより、第１のノズル支持アーム８２ｐに付着したＳＰＭ液等の汚れを除去することができる。
【００６１】
次に、待機領域８０で待機している４つのノズル支持アーム８２のうち第３のノズル支持アーム８２ｒがカップ外周筒５０の側面開口５０ｍを介してチャンバ２０内に進出する（図９（ｆ）参照）。この際に、第３のノズル支持アーム８２ｒは直線運動を行う。そして、ウエハＷおよび天板３２が回転した状態で、カップ外周筒５０内に進出した第３のノズル支持アーム８２ｒのノズル８２ａからウエハＷの中心に向けて、加熱された純水（例えば、８０℃）を供給する。この際に、ウエハＷの下面（裏面）に向かって処理液供給管２８から加熱された純水を供給する。このことにより、ウエハＷに対してホットリンス処理が行われる。
【００６２】
なお、ウエハＷに対するＳＰＭ処理（図９（ｄ）参照）とホットリンス処理（図９（ｆ）参照）との間には、以下に示すような中間処理工程が行われるようになっている。この中間処理工程は、第１の中間処理工程、振切処理工程、および第２の中間処理工程から構成されている。具体的には、まず、第１の中間処理工程において、ＳＰＭ液の液温未満かつリンス液の液温よりも高い温度の第１の中間処理液をウエハＷの表面に供給する。より詳細には、図８（ａ）に示すような第１のノズル支持アーム８２ｐにおいて、硫酸供給部８３ｃ側の開閉弁を開放状態としたまま過酸化水素水８３ｂ側の開閉弁だけを閉止状態として、ヒータ８３ｄで加熱した硫酸だけを第１のノズル支持アーム８２ｐのノズル８２ａからウエハＷの表面中心部に向けて所定時間吐出させる。このときに、過酸化水素水が供給されないために、過酸化水素水と硫酸との化学反応が生じず、ウエハＷの表面には、ＳＰＭ液の液温（例えば、１７０℃）未満で、かつ、リンス液（純水）の液温（例えば、８０℃）以上の温度（例えば、１４０℃）の硫酸が供給されることになる。この第１の中間処理工程を行うことで、ウエハＷの温度をＳＰＭ処理における温度からリンス処理における温度へと急激に下降させるのではなく、その中間の温度に徐々に下降させることができる。その結果、ウエハＷの急激な温度変化に伴う熱変形を防止することができる。これにより、ウエハＷを基板保持部２１により良好に保持することができる。
【００６３】
次に、ウエハＷを回転させることで、ウエハＷの表面から硫酸を振り切って除去する振切処理工程を行う。この際に、ＳＰＭ処理および第１の中間処理工程よりも高速でウエハＷを所定時間回転させる。その後、第１の中間処理液（硫酸）の液温未満かつリンス液の液温以上の温度の第２の中間処理液をウエハＷの裏面に供給する第２の中間処理工程を実行する。より詳細には、処理液供給部２９から処理液供給管２８に、第１の中間処理液（硫酸）の液温（例えば、１４０℃）未満かつリンス液の液温（例えば、８０℃）以上の温度（例えば、８０℃）の純水を供給することにより、この処理液供給管２８のヘッド部分２８ａからウエハＷの裏面に８０℃の純水が吐出されるようになる。この第２の中間処理工程を行うことで、ウエハＷの裏面からこのウエハＷの温度をリンス処理における温度近傍へゆるやかに下降させることができる。特に、ウエハＷの裏面に純水を供給しているために、ウエハＷの表面に第１の中間処理液（硫酸）が残留していたとしてもリンス液（純水）との急激な化学反応の発生を抑制することができ、これにより、化学反応に伴う反応生成物の飛散を防止してカップ外周筒５０内の汚染を防止することができる。
【００６４】
以上のように、ウエハＷに対するＳＰＭ処理とホットリンス処理との間に、第１の中間処理工程、振切処理工程、および第２の中間処理工程から構成されている中間処理工程を行うことにより、ＳＰＭ液とリンス液（純水）との急激な化学反応の発生を抑制することができ、これにより、化学反応に伴う反応生成物の飛散を防止してカップ外周筒５０内の汚染を防止することができる。
【００６５】
ウエハＷに対するホットリンス処理が終了すると、図１０（ｇ）に示すように、カップ外周筒５０内に進出した第３のノズル支持アーム８２ｒはこのカップ外周筒５０内から退避して待機領域８０で待機するようになる。この際に、ウエハＷは回転し続けている。また、第３のノズル支持アーム８２ｒがカップ外周筒５０内から退避して退避位置に移動する際に、アーム洗浄部８８により第３のノズル支持アーム８２ｒの洗浄が行われる。このことにより、第３のノズル支持アーム８２ｒに付着した汚れを除去することができる。また、第３のノズル支持アーム８２ｒがカップ外周筒５０内から退避する前から、固定リンスノズル４３によりウエハＷの中心に向かって純水（例えば、８０℃）が供給されるようになる。固定リンスノズル４３によりウエハＷの表面に液膜が形成されるので、ウエハＷの表面が露出しないようになり、ウエハＷの表面にパーティクルが付着することを防止することができるようになる。
【００６６】
そして、図１０（ｈ）に示すように、カップ外周筒５０が上昇位置から下降して下降位置に位置するようになる。その後、天板３２の回転を止める。この際に、固定リンスノズル４３はウエハＷの中心に向かって純水（例えば、８０℃）を供給し続けている。カップ外周筒５０が下降位置に移動すると、このカップ外周筒５０は洗浄部５２の貯留部分５２ａに貯留された洗浄液に浸されるようになる。このことにより、カップ外周筒５０の洗浄が行われ、ウエハＷのＳＰＭ処理を行う際に飛散したＳＰＭ液等の処理液の液滴がカップ外周筒５０の内側壁に残留してしまうことを防止することができる。
【００６７】
その後、図１０（ｉ）に示すように、天板３２を進出位置から退避位置に移動させ、この天板３２を天板収納部３８に収納させる。ここで、天板収納部３８内の雰囲気は常に排気部３９により排気されるようになっているため、ウエハＷのＳＰＭ処理を行う際に天板３２の下面にＳＰＭ液等の処理液の液滴が付着した場合でも、この天板３２が天板収納部３８内に収納されたときにはＳＰＭ液等の処理液の雰囲気は排気部３９により排気されるので、ＳＰＭ液の雰囲気が待機領域８０やチャンバ２０内に流出することはない。
【００６８】
そして、図１０（ｊ）に示すように、洗浄部５２により洗浄されたカップ外周筒５０が下降位置から上昇して上昇位置に位置するようになる。この際に、固定リンスノズル４３はウエハＷの中心に向かって純水（例えば、８０℃）を供給し続けている。その後、図１０（ｋ）に示すように、エアフード７０が上昇位置から下降して下降位置に位置するようになる。より詳細には、カップ外周筒５０の上端が、エアフード７０の下板７７の下面に接触または近接するようにする。このことにより、ウエハＷの周囲には、エアフード７０とカップ外周筒５０とによって外部から隔離された空間が形成される。以下の説明において、エアフード７０およびカップ外周筒５０の内側に形成される、外部から隔離された空間のことを「第２の処理空間」と称する。後述するように、この第２の処理空間は、エアフード７０により清浄化されたガスが下方向に流れる空間である。
【００６９】
その後、待機領域８０で待機している４つのノズル支持アーム８２のうち第３のノズル支持アーム８２ｒがカップ外周筒５０の側面開口５０ｍを介してチャンバ２０内に進出する（図１０（ｌ）参照）。この際に、第３のノズル支持アーム８２ｒは直線運動を行う。そして、ウエハＷが回転するとともにエアフード７０により清浄化されたガスが第２の処理空間内で流れている状態で、カップ外周筒５０内に進出した第３のノズル支持アーム８２ｒのノズル８２ａからウエハＷの中心に向けてＳＣ−１液を供給する。このことにより、ウエハＷの表面に残るレジスト残渣を取り除くことができる。なお、ウエハＷに対してＳＣ−１液による液処理が行われる際には、案内カップ４４が上昇位置に位置するようになっており、このことにより、ＳＣ−１液やレジスト残渣は、第２排出部４６ｂに送られて排出される。
【００７０】
ウエハＷに対してＳＣ−１液による液処理が行われるときに、エアフード７０およびカップ外周筒５０の内側に第２の処理空間が形成されていることにより、この第２の処理空間内の雰囲気が外部に出ることを防ぐことができ、かつ、外部の雰囲気が第２の処理空間内に入るのを防ぐことができる。また、第２の処理空間が閉じた空間となっていることにより、処理が実施される空間の容積を小さくすることができる。これによって、第２の処理空間内における、清浄化されたガスの置換効率を向上させることができる。
【００７１】
ウエハＷに対するＳＣ−１液による液処理が終了すると、図１１（ｍ）に示すように、カップ外周筒５０内に進出した第３のノズル支持アーム８２ｒはこのカップ外周筒５０内から退避して待機領域８０で待機するようになる。この際に、ウエハＷは回転し続けている。また、第３のノズル支持アーム８２ｒがカップ外周筒５０内から退避して退避位置に移動する際に、アーム洗浄部８８により第３のノズル支持アーム８２ｒの洗浄が行われる。このことにより、第３のノズル支持アーム８２ｒに付着したＳＣ−１液等の汚れを除去することができる。また、第３のノズル支持アーム８２ｒがカップ外周筒５０内から退避した後も、エアフード７０により清浄化されたガスが第２の処理空間内で流れ続けている。その後、待機領域８０で待機している４つのノズル支持アーム８２のうち第３のノズル支持アーム８２ｒがカップ外周筒５０の側面開口５０ｍを介してチャンバ２０内に進出する。この際に、第３のノズル支持アーム８２ｒは直線運動を行う。そして、ウエハＷおよび天板３２が回転した状態で、カップ外周筒５０内に進出した第３のノズル支持アーム８２ｒのノズル８２ａからウエハＷの中心に向けて、常温の純水を供給する。この際に、ウエハＷの下面（裏面）に向かって処理液供給管２８から常温の純水を供給する。このことにより、ウエハＷに対してリンス処理が行われる。その後、ウエハＷを高速回転させることにより、第２の処理空間内でウエハＷの乾燥処理が行われる。
【００７２】
なお、ウエハＷに対するＳＣ−１液による液処理が終了し、第３のノズル支持アーム８２ｒがカップ外周筒５０内から退避した後、ウエハＷの乾燥処理を行う前に、第４のノズル支持アーム８２ｓをカップ外周筒５０内に進出させ、この第４のノズル支持アーム８２ｓの二流体ノズルによりウエハＷに対して純水の液滴を噴霧することによってウエハＷのリンス処理を行ってもよい。この場合には、ウエハＷに対するリンス処理が終了し、第４のノズル支持アーム８２ｓがカップ外周筒５０内から退避した後も、エアフード７０により清浄化されたガスが第２の処理空間内で流れ続けている。その後、ウエハＷを高速回転させることにより、第２の処理空間内でウエハＷの乾燥処理が行われる。
【００７３】
ウエハＷの乾燥処理が終了すると、図１１（ｎ）に示すように、カップ外周筒５０が上昇位置から下降して下降位置に位置するようになり、基板保持部２１の側方が開かれるようになる。その後、基板保持部２１におけるリフトピンプレート２２および処理液供給管２８を図５に示す位置から上方に移動させることと、チャンバ２０の開口９４ａに設けられたシャッター９４をこの開口９４ａから退避させることにより開口９４ａを開くことを行う。そして、開口９４ａを介して液処理装置１０の外部から搬送アーム１０４がチャンバ２０内に入り、リフトピンプレート２２のリフトピン２３上にあるウエハＷが搬送アーム１０４に移載される。その後、搬送アーム１０４により取り出されたウエハＷは液処理装置１０の外部に搬送される。このようにして、一連のウエハＷの液処理が完了する。
【００７４】
次に、天板３２の洗浄処理について図１１（ｏ）を用いて説明する。天板３２を洗浄する際には、エアフード７０を下降位置から上昇位置に移動させ、その後、天板３２を退避位置から進出位置に移動させる。また、天板３２が進出位置に移動した後、サーボモータ３６によって天板３２に回転駆動力を与えることにより、天板３２を水平面に沿って回転軸３４を中心として回転させる。その後、カップ外周筒５０を下降位置から上昇させて上昇位置に位置させる。
【００７５】
そして、カップ外周筒５０が上昇位置に移動した後、待機領域８０で待機している４つのノズル支持アーム８２のうち第２のノズル支持アーム８２ｑがカップ外周筒５０の側面開口５０ｍを介してチャンバ２０内に進出する。この際に、第２のノズル支持アーム８２ｑは直線運動を行う。
【００７６】
その後、天板３２が回転した状態で、カップ外周筒５０内に進出した第２のノズル支持アーム８２ｑのノズル８２ａから天板３２に向かって純水等の天板洗浄液を吐出する。このことにより、天板３２に付着したＳＰＭ液等が除去されるようになる。ここで、第２のノズル支持アーム８２ｑのノズル８２ａから天板３２に向かって純水等の天板洗浄液を吐出させながらこのノズル８２ａを図１１（ｏ）における左右方向に移動させることにより、天板３２の全域にわたってまんべんなく均一に洗浄を行うことができるようになる。また、天板３２に対して洗浄処理が行われるときに、天板３２およびカップ外周筒５０の内側には閉じた空間が形成されていることにより、第２のノズル支持アーム８２ｑのノズル８２ａから吐出された天板洗浄液がカップ外周筒５０の外部に出ることを防ぐことができる。
【００７７】
上述したような天板３２の洗浄処理は、ウエハＷに対するレジスト膜の除去処理および洗浄処理の後に毎回行ってもよく、あるいは定期的に行うようにしてもよい。また、天板３２の洗浄処理は、図９（ｆ）に示すようなウエハＷのホットリンス処理と並行して行うことができる。天板３２の洗浄処理とウエハＷのホットリンス処理を同時に行う場合には、カップ外周筒５０内に第２のノズル支持アーム８２ｑおよび第３のノズル支持アーム８２ｒが同時に進出する。この際に、第２のノズル支持アーム８２ｑの高さレベルは、第３のノズル支持アーム８２ｒの高さレベルよりも高くなっており、第２のノズル支持アーム８２ｑおよび第３のノズル支持アーム８２ｒが同時にカップ外周筒５０内に進出したときにアーム同士が衝突または干渉しないようになっている。このため、第２のノズル支持アーム８２ｑのノズル８２ａにより天板３２に対して純水等の天板洗浄液を供給する工程と、第３のノズル支持アーム８２ｒのノズル８２ａによりウエハＷに対して加熱された純水を供給する工程を同時に行うことができる。
【００７８】
なお、本実施の形態による液処理装置は、上記の態様に限定されるものではなく、様々の変更を加えることができる。
【００７９】
例えば、図１２Ａに示すように、天板３２を加熱するための天板加熱機構として、ＬＥＤランプ３３が天板保持アーム３５に設けられていてもよい。このときに、天板３２が回転する際にもＬＥＤランプ３３は回転しないようになる。前述したように、ＳＰＭ液は、ウエハＷの上面に設けられたレジスト膜を除去するためにウエハＷの上面に吐出されるが、ＳＰＭ液がレジスト膜を除去する能力は、ＳＰＭ液の温度が高いほど高められる。このため、天板３２近傍にＬＥＤランプ３３を設け、このＬＥＤランプ３３により天板３２を加熱することにより、基板保持部２１に保持されたウエハＷ周囲の雰囲気も加熱され、ウエハＷの上面に吐出されるＳＰＭ液も加熱される。このことにより、ＳＰＭ液がレジスト膜を除去する能力を向上させることができるようになる。また、天板３２の下面にＳＰＭ液が付着した場合でも、ＬＥＤランプ３３によりこのＳＰＭ液を蒸発させることができる。
【００８０】
また、図１２Ｂに示すように、天板３２の外径がカップ外周筒５０の内径よりも大きくなっていてもよい。この場合には、天板３２の下面には溝部３２ａが形成されており、天板３２が進出位置に移動した後、カップ外周筒５０が下降位置から上昇位置に上昇すると、天板３２の下面に形成された溝部３２ａにカップ外周筒５０の上端が入り込むようになる。この場合でも、ウエハＷの周囲に、天板３２とカップ外周筒５０とによって外部から隔離された空間を形成することができ、この空間は、硫酸と過酸化水素水とを混合して得たＳＰＭ液によりウエハＷに対して液処理が行われる空間として用いられるようになる。
【００８１】
また、図１３に示すように、天板収納部３８には、当該天板収納部３８に収納された天板３２を洗浄するための天板洗浄機構３８ａが設けられていてもよい。具体的には、天板洗浄機構３８ａは、上方向を向いた複数のノズルからなり、各ノズルから純水等の洗浄液が上方に吐出されるようになっている。そして、天板３２が天板収納部３８に収納されたときに、天板洗浄機構３８ａの各ノズルから洗浄液が上方に吐出されることにより、天板３２の下面の洗浄が行われる。また、天板収納部３８には排液部３８ｂが設けられており、天板洗浄機構３８ａの各ノズルから天板３２に供給された純水等の洗浄液はこの排液部３８ｂにより排出されるようになっている。
【００８２】
また、本実施の形態の液処理装置１０においては、４つのノズル８２ａを支持する各ノズル支持アーム８２がカップ外周筒５０内の進出位置とこの進出位置から退避した退避位置との間で水平方向に移動するような構成の代わりに、ウエハＷに対してＳＰＭ液を供給する処理液供給ノズルが天板３２の下面に設置されていてもよい。この場合には、ＳＰＭ液を供給するノズル８２ａやこのノズル８２ａを支持するノズル支持アーム８２の設置を省略することができる。
【００８３】
また、ウエハＷに対する洗浄工程において、ＳＣ−１液による液処理を省略することもできる。この場合には、図９（ｆ）に示すようなウエハＷに対するホットリンス処理が行われた後、天板３２を退避位置に移動させるとともにエアフード７０を下降位置に移動させる。その後、図１１（ｍ）に示すように、カップ外周筒５０内の空間にエアフード７０により清浄化されたガスを流しながらウエハＷを高速回転させることにより、ウエハＷの乾燥処理が行われるようになる。
【００８４】
〔第２の実施の形態〕
以下、図１４乃至図１６を参照して本発明の第２の実施の形態による液処理装置を説明する。第２の実施の形態による液処理装置では、第１の実施の形態による液処理装置と比較して、エアフード７０はその位置が固定され、昇降しないようになっている。また、第２の実施の形態による液処理装置では、第１の実施の形態による液処理装置と比較してカップ外周筒５０の高さが高くなっており、このカップ外周筒５０は、図１４に示すような第１の位置、図１５に示すような第２の位置および図１６に示すような第３の位置の間で昇降するようになっている。以下、第２の実施の形態による液処理装置を説明するにあたり、第１の実施の形態による液処理装置と同一の部分についてはその説明を省略する。
【００８５】
前述したように、第２の実施の形態による液処理装置１０ａでは、エアフード７０はその位置が固定され、昇降しないようになっている。具体的には、第２の実施の形態による液処理装置１０ａでは、図７に示すようなエアフード昇降機構７８は設けられていない。
【００８６】
また、第２の実施の形態による液処理装置１０ａでは、第１の実施の形態による液処理装置１０と比較してカップ外周筒５０の高さが高くなっている。それに伴い、洗浄部５２における洗浄液を貯留するための貯留部分５２ａの深さも深くなっている。
【００８７】
第２の実施の形態による液処理装置１０ａでは、カップ外周筒５０は、図１４に示すような第１の位置、図１５に示すような第２の位置および図１６に示すような第３の位置の間で昇降するようになっている。カップ外周筒５０が図１４に示すような第１の位置にあるときには、このカップ外周筒５０の大部分は洗浄部５２の貯留部分５２ａに貯留された洗浄液に浸されるようになっており、基板保持部２１により保持されたウエハＷの側方は開かれた状態となる。
【００８８】
一方、カップ外周筒５０が図１５に示すような第２の位置にあるときには、このカップ外周筒５０の上端が、進出位置にあるときの天板３２よりもわずかに高い位置となる。すなわち、天板３２が退避位置から進出位置に移動した後、カップ外周筒５０が第１の位置から第２の位置に上昇すると、カップ外周筒５０の上端が天板３２よりもわずかに高い位置になるよう、天板３２がカップ外周筒５０内に収容されるようになる。カップ外周筒５０が第２の位置にあるとともに天板３２が進出位置にあるときに、ウエハＷの周囲には、天板３２とカップ外周筒５０とによって外部から隔離された空間（第１の処理空間）が形成される。この空間は、硫酸と過酸化水素水とを混合して得たＳＰＭ液によりウエハＷに対して液処理が行われる空間である。本実施の形態による液処理装置１０ａでは、ウエハＷに対してＳＰＭ処理が行われるときに、天板３２およびカップ外周筒５０の内側に第１の処理空間が形成されている。このことにより、この第１の処理空間内の雰囲気が外部に出ることを防ぐことができ、かつ、外部の雰囲気が第１の処理空間内に入るのを防ぐことができる。また、天板３２が水平面に沿って回転していることにより、天板３２に付着したＳＰＭ液等の処理液の液滴は遠心力によってカップ外周筒５０の内壁面に送られ、このカップ外周筒５０の内壁面に沿って自重により落下することにより、ＳＰＭ液等の処理液の液滴がウエハＷに再付着することが抑制される。
【００８９】
また、カップ外周筒５０が図１６に示すような第３の位置にあるときには、このカップ外周筒５０の上端がエアフード７０の下板７７の下面に接触または近接するようになる。このことにより、ウエハＷの周囲には、エアフード７０とカップ外周筒５０とによって外部から隔離された空間（第２の処理空間）が形成される。この空間は、エアフード７０により清浄化されたガスが下方向に流れる空間である。本実施の形態による液処理装置１０ａでは、ウエハＷに対してＳＣ−１液による液処理や乾燥処理が行われるときに、エアフード７０およびカップ外周筒５０の内側に第２の処理空間が形成されている。このことにより、この第２の処理空間内の雰囲気が外部に出ることを防ぐことができ、かつ、外部の雰囲気が第２の処理空間内に入るのを防ぐことができる。また、第２の処理空間が閉じた空間となっていることにより、処理が実施される空間の容積を小さくすることができ、これによって処理の効率を上げることができる。具体的には、第２の処理空間内における、清浄化されたガスの置換効率を向上させることができる。
【００９０】
次に、本実施の形態による液処理装置１０ａを用いて、ウエハＷの上面にある不要なレジスト膜を除去する洗浄処理の一連の工程について説明する。以下に示す洗浄処理の一連の工程は、コントローラ２００が液処理装置１０ａの各機能部品の動作を制御することにより行われる。なお、第１の実施の形態による液処理装置１０における動作と同一の部分についてはその説明を省略する。
【００９１】
搬送アーム１０４によりウエハＷが液処理装置１０ａ内に搬入され、基板保持部２１に載置される際に、図１４に示すように、カップ外周筒５０は第１の位置に位置し、天板３２は退避位置に位置し、各ノズル支持アーム８２もチャンバ２０から退避した退避位置に位置している。また、エアフード７０からチャンバ２０内にクリーンエア等のガスが常にダウンフローで送られ、このガスが排気されることにより、チャンバ２０内の雰囲気の置換が行われるようになっている。
【００９２】
次に、ウエハＷに対してＳＰＭ処理を行う際に、図１５に示すように、天板３２を退避位置から進出位置に移動させ、天板３２が進出位置に移動した後、サーボモータ３６によって天板３２に回転駆動力を与えることにより、天板３２を水平面に沿って回転軸３４を中心として回転させる。また、天板３２が進出位置に移動した後、カップ外周筒５０を第１の位置から上昇させて第２の位置に位置させる。このことにより、ウエハＷの周囲には、天板３２とカップ外周筒５０とによって外部から隔離された空間（第１の処理空間）が形成される。
【００９３】
そして、カップ外周筒５０が第２の位置に移動した後、待機領域８０で待機している４つのノズル支持アーム８２のうち第１のノズル支持アーム８２ｐがカップ外周筒５０の側面開口５０ｍを介してチャンバ２０内に進出する。また、基板保持部２１における保持プレート２６およびリフトピンプレート２２を回転させる。このことにより、保持プレート２６の各保持部材２５により支持されているウエハＷも回転する。そして、ウエハＷが回転した状態で、カップ外周筒５０内に進出した第１のノズル支持アーム８２ｐのノズル８２ａからウエハＷの上面に高温のＳＰＭ液を供給する。このようにしてウエハＷのＳＰＭ処理が行われる。
【００９４】
その後、ウエハＷに対するＳＰＭ処理が終了すると、カップ外周筒５０内に進出した第１のノズル支持アーム８２ｐはこのチャンバ２０から退避して待機領域８０で待機するようになる。この際に、ウエハＷおよび天板３２は回転し続けている。
【００９５】
次に、待機領域８０で待機している４つのノズル支持アーム８２のうち第３のノズル支持アーム８２ｒがカップ外周筒５０の側面開口５０ｍを介してチャンバ２０内に進出する。そして、ウエハＷおよび天板３２が回転した状態で、カップ外周筒５０内に進出した第３のノズル支持アーム８２ｒのノズル８２ａからウエハＷの上面に、加熱された純水（例えば、８０℃）を供給する。また、この際に、ウエハＷの下面（裏面）に向かって処理液供給管２８から加熱された純水を供給する。このことにより、ウエハＷに対してホットリンス処理が行われる。なお、ウエハＷに対するＳＰＭ処理とホットリンス処理との間には、第１の実施の形態で説明した中間処理工程が行われるようになっている。
【００９６】
ウエハＷに対するホットリンス処理が終了すると、カップ外周筒５０内に進出した第３のノズル支持アーム８２ｒはこのカップ外周筒５０内から退避して待機領域８０で待機するようになる。この際に、ウエハＷは回転し続けている。また、第３のノズル支持アーム８２ｒがカップ外周筒５０内から退避した後、固定リンスノズル４３によりウエハＷの中心に向かって純水が供給されるようになる。
【００９７】
その後、カップ外周筒５０が第２の位置から下降して第１の位置に位置するようになる。この際に、固定リンスノズル４３はウエハＷの中心に向かって純水を供給し続けている。カップ外周筒５０が第１の位置に移動すると、このカップ外周筒５０は洗浄部５２の貯留部分５２ａに貯留された洗浄液に浸されるようになる。このことにより、カップ外周筒５０の洗浄が行われ、ウエハＷのＳＰＭ処理を行う際に飛散したＳＰＭ液等の処理液の液滴がカップ外周筒５０に残留してしまうことを防止することができる。その後、天板３２を進出位置から退避位置に移動させ、この天板３２を天板収納部３８に収納させる。
【００９８】
そして、洗浄部５２により洗浄されたカップ外周筒５０が第１の位置から上昇して図１６に示すような第３の位置に位置するようになる。より詳細には、カップ外周筒５０の上端が、エアフード７０の下板７７の下面に接触または近接するようにする。このことにより、ウエハＷの周囲には、エアフード７０とカップ外周筒５０とによって外部から隔離された空間（第２の処理空間）が形成される。この際に、固定リンスノズル４３はウエハＷの中心に向かって純水を供給し続けている。
【００９９】
その後、待機領域８０で待機している４つのノズル支持アーム８２のうち第３のノズル支持アーム８２ｒがカップ外周筒５０の側面開口５０ｍを介してチャンバ２０内に進出する。そして、ウエハＷが回転するとともにエアフード７０により清浄化されたガスが第２の処理空間内で流れている状態で、カップ外周筒５０内に進出した第３のノズル支持アーム８２ｒのノズル８２ａからウエハＷの上面にＳＣ−１液を供給する。このことにより、ウエハＷの表面に残るレジスト残渣を取り除くことができる。
【０１００】
ウエハＷに対するＳＣ−１液による液処理が終了すると、カップ外周筒５０内に進出した第３のノズル支持アーム８２ｒはこのカップ外周筒５０内から退避して待機領域８０で待機するようになる。また、第３のノズル支持アーム８２ｒがカップ外周筒５０内から退避した後も、エアフード７０により清浄化されたガスが第２の処理空間内で流れ続けている。その後、待機領域８０で待機している４つのノズル支持アーム８２のうち第３のノズル支持アーム８２ｒがカップ外周筒５０の側面開口５０ｍを介してチャンバ２０内に進出する。この際に、第３のノズル支持アーム８２ｒは直線運動を行う。そして、ウエハＷおよび天板３２が回転した状態で、カップ外周筒５０内に進出した第３のノズル支持アーム８２ｒのノズル８２ａからウエハＷの中心に向けて、常温の純水を供給する。この際に、ウエハＷの下面（裏面）に向かって処理液供給管２８から常温の純水を供給する。このことにより、ウエハＷに対してリンス処理が行われる。その後、ウエハＷを高速回転させることにより、第２の処理空間内でウエハＷの乾燥処理が行われる。
【０１０１】
なお、ウエハＷに対するＳＣ−１液による液処理および常温のリンス処理が終了し、第３のノズル支持アーム８２ｒがカップ外周筒５０内から退避した後、ウエハＷの乾燥処理を行う前に、第４のノズル支持アーム８２ｓをカップ外周筒５０内に進出させ、この第４のノズル支持アーム８２ｓの二流体ノズルによりウエハＷに対して純水の液滴を噴霧することによってウエハＷのリンス処理を行ってもよい。この場合には、ウエハＷに対するリンス処理が終了し、第４のノズル支持アーム８２ｓがカップ外周筒５０内から退避した後も、エアフード７０により清浄化されたガスが第２の処理空間内で流れ続けている。その後、ウエハＷを高速回転させることにより、第２の処理空間内でウエハＷの乾燥処理が行われる。
【０１０２】
ウエハＷの乾燥処理が終了すると、カップ外周筒５０が第３の位置から下降して第１の位置に位置するようになり、基板保持部２１の側方が開かれるようになる。その後、液処理装置１０ａの外部から搬送アーム１０４がチャンバ２０内に入り、基板保持部２１に保持されているウエハＷが搬送アーム１０４に移載される。そして、搬送アーム１０４により取り出されたウエハＷは液処理装置１０ａの外部に搬送される。このようにして、一連のウエハＷの液処理が完了する。
【０１０３】
次に、天板３２の洗浄処理について説明する。天板３２を洗浄する際には、天板３２を退避位置から進出位置に移動させる。また、天板３２が進出位置に移動した後、サーボモータ３６によって天板３２に回転駆動力を与えることにより、天板３２を水平面に沿って回転軸３４を中心として回転させるようになる。その後、カップ外周筒５０を第１の位置から上昇させて第２の位置に位置させる。
【０１０４】
そして、カップ外周筒５０が第２の位置に移動した後、待機領域８０で待機している４つのノズル支持アーム８２のうち第２のノズル支持アーム８２ｑがカップ外周筒５０の側面開口５０ｍを介してチャンバ２０内に進出する。その後、天板３２が回転した状態で、カップ外周筒５０内に進出した第２のノズル支持アーム８２ｑのノズル８２ａから天板３２に向かって純水等の天板洗浄液を吐出する。このことにより、天板３２に付着したＳＰＭ液等が除去されるようになる。天板３２に対して洗浄処理が行われるときに、天板３２およびカップ外周筒５０の内側には閉じた空間が形成されていることにより、第２のノズル支持アーム８２ｑのノズル８２ａから吐出された天板洗浄液がカップ外周筒５０の外部に出ることを防ぐことができる。
【０１０５】
以上のように本実施の形態の液処理装置１０ａによれば、天板３２は、基板保持部２１に保持されたウエハＷを上方から覆う進出位置（図１５参照）と、水平方向において進出位置から退避した位置である退避位置（図１４および図１６参照）との間で水平方向に移動自在となっており、また、回転カップ４０の周囲には、上部に上部開口５０ｎが形成された筒状のカップ外周筒５０が昇降自在に設けられている。このことにより、ウエハＷの上面にあるレジスト膜をＳＰＭ処理により除去する際には、天板３２を進出位置に移動させるとともにカップ外周筒５０をウエハＷの側方の位置に移動させることにより、ウエハＷ上で発生したＳＰＭ液および被処理物体由来のガスまたはミストからなるヒュームがカップ外周筒５０の外部に拡散することを防止することができる。このため、ヒュームがウエハＷの上方のチャンバ２０の内壁およびチャンバ２０内の部品を汚染させ、ウエハ汚染の原因物質を発生させることを防止することができる。しかも、ＳＰＭ処理の後に実施されるＳＣ−１液による液処理や乾燥処理の際、天板３２を退避位置に移動させることにより、天板３２に付着しているＳＰＭ液の液滴や飛沫がウエハＷ上に落下することを防止することができる。さらに、ウエハＷの側方をカップ外周筒５０により覆った状態で、エアフード７０からのクリーンエアのダウンフローをウエハＷの上面に向かって下方に流すことにより、ＳＣ−１液による液処理や乾燥処理の際に、ウエハＷ上を漂っているパーティクルがウエハＷに付着することを防止することができる。このため、ウエハＷを汚染させることなく様々な処理を実施することが可能となる。
【０１０６】
また、本実施の形態の液処理装置１０ａにおいては、カップ外周筒５０は、第１の位置（図１４参照）と、第１の位置よりも上方に位置し、カップ外周筒５０の上端が前記カップの上方にある第２の位置との間で昇降するようになっており、カップ外周筒５０が第２の位置にあるとともに天板３２が進出位置にあるときに、ウエハＷの液処理を行うための空間（第１の処理空間）がカップ外周筒５０内に形成されるようになっている。このように、ウエハＷに対してＳＰＭ処理が行われるときに、天板３２およびカップ外周筒５０の内側に閉じた空間が形成されていることにより、この空間内の雰囲気が外部に出ることを防ぐことができ、かつ、外部の雰囲気がこの空間内に入るのを防ぐことができる。
【０１０７】
また、本実施の形態の液処理装置１０ａにおいては、カップ外周筒５０は、第２の位置よりも上方に位置する第３の位置（図１６参照）にも移動することができるようになっており、カップ外周筒５０が第３の位置にあるときに、エアフード７０によりガスが流れる空間が当該カップ外周筒５０内に形成されるようになっている。このことにより、基板保持部２１により保持されたウエハＷの周囲には、エアフード７０とカップ外周筒５０とによって外部から隔離された空間が形成される。そして、ウエハＷに対してＳＣ−１液による液処理や乾燥処理が行われるときに、エアフード７０およびカップ外周筒５０の内側に閉じた空間が形成されていることにより、この空間内の雰囲気が外部に出ることを防ぐことができ、かつ、外部の雰囲気がこの空間内に入るのを防ぐことができる。また、エアフード７０およびカップ外周筒５０の内側に形成された空間が閉じた空間となっていることにより、処理が実施される空間の容積を小さくすることができ、これによって処理の効率を上げることができる。具体的には、この空間内における、清浄化されたガスの置換効率を向上させることができる。
【０１０８】
また、本実施の形態の液処理装置１０ａにおいては、エアフード７０はその位置が固定されている。
【０１０９】
また、本実施の形態の液処理装置１０ａにおいては、カップ外周筒５０の側面には側面開口５０ｍが形成されており、ノズル８２ａを支持するノズル支持アーム８２は、カップ外周筒５０が上昇位置にあるときに当該カップ外周筒５０の側面の側面開口５０ｍを介してカップ外周筒５０内に進出した進出位置とカップ外周筒５０から外方に退避した退避位置との間で水平方向に移動するようになっている。このことにより、ノズル８２ａによってウエハＷに処理液等を供給する際にノズル支持アーム８２を水平方向に移動させることにより、ウエハＷの全面にわたってまんべんなく処理液を供給することができるようになる。
【０１１０】
また、本実施の形態の液処理装置１０ａにおいては、天板３２には、水平面上で当該天板３２を回転させる天板回転機構（具体的には、回転軸３４、タイミングベルト３６ａ、サーボモータ３６等）が設けられている。このことにより、ウエハＷに対してＳＰＭ処理を行う際に、天板回転機構により天板３２を水平面に沿って回転させることにより、天板３２に付着したＳＰＭ液は遠心力によってカップ外周筒５０の内壁面に送られ、このカップ外周筒５０の内壁面に沿って自重により落下することにより、ＳＰＭ液の液滴がウエハＷに再付着することを抑制することができる。
【０１１１】
また、本実施の形態の液処理装置１０ａにおいては、天板３２を保持する天板保持アーム３５と、天板保持アーム３５の基端に設けられた旋回軸３７とが設けられており、旋回軸３７を中心として天板保持アーム３５が回動することにより天板３２が進出位置と退避位置との間で移動自在となっている。この場合には、天板３２を直線状に移動させるときと比較して、よりスムーズに天板３２を移動させることができるようになる。
【０１１２】
また、本実施の形態の液処理装置１０ａにおいては、天板３２が退避位置に退避したときに当該天板３２を収納する天板収納部３８が設けられている。このことにより、天板３２が退避位置に退避したときにはこの天板３２は天板収納部３８に収納されるようになるので、天板３２の下面に付着したＳＰＭ液の液滴等が落下してチャンバ２０等を汚染することを防止することができる。
【０１１３】
また、本実施の形態の液処理装置１０ａにおいては、第１のノズル支持アーム８２ｐのノズル８２ａにより供給される処理液は硫酸と過酸化水素水との混合液（ＳＰＭ液）となっている。そして、基板保持部２１に保持されたウエハＷに対して第１のノズル支持アーム８２ｐのノズル８２ａにより高温の処理液（ＳＰＭ液）が供給される。高温の処理液が供給された後であって、エアフード７０が下降位置に移動した後、当該エアフード７０により清浄化されたガスを下方向に流しながら、高温の処理液（ＳＰＭ）よりも低温の他の処理液によりウエハＷに対して追加の液処理が行われるようになっている。より具体的には、高温の処理液（ＳＰＭ）よりも低温の他の処理液は、アンモニア水と過酸化水素水の混合液（ＳＣ−１液）である。なお、本実施の形態では、高温の処理液はＳＰＭ液に限定されることはない。ヒュームが発生する処理液であれば、高温の処理液として他の薬液を用いてもよい。他の薬液として、例えば、硫酸と硝酸を混合させたもの、硫酸とバッファード・フッ酸（ＢＨＦ）を混合させたもの、あるいは硫酸と希釈されたバッファード・フッ酸（ＢＨＦ）を混合させたものが用いられる。
【０１１４】
なお、本実施の形態による液処理装置は、上記の態様に限定されるものではなく、様々の変更を加えることができる。
【０１１５】
第２の実施の形態による液処理装置の変形例について図１７を用いて説明する。図１７に示すように、変形例による液処理装置１０ｂにおいて、エアフード７０は、その位置が固定されている代わりに、基板保持部２１に保持されたウエハＷを上方から覆う進出位置（図１７における二点鎖線）と、水平方向において進出位置から退避した位置である退避位置（図１７における実線）との間で水平方向に移動するようになっていてもよい。この場合、カップ外周筒５０は、その大部分が洗浄部５２の貯留部分５２ａに貯留された洗浄液に浸されるような第１の位置、およびカップ外周筒５０の上端が、進出位置にあるときの天板３２よりもわずかに高い位置となるような第２の位置との間で昇降を行うようになる。そして、カップ外周筒５０が第２の位置にあるとともにエアフード７０が進出位置にあるときには、このカップ外周筒５０の上端がエアフード７０の下面に接触または近接するようになる。このことにより、ウエハＷの周囲には、エアフード７０とカップ外周筒５０とによって外部から隔離された空間（第２の処理空間）が形成される。この空間は、エアフード７０により清浄化されたガスが下方向に流れる空間である。図１７に示すような変形例による液処理装置１０ｂでも、ウエハＷに対してＳＣ−１液による液処理や乾燥処理が行われるときに、エアフード７０およびカップ外周筒５０の内側に第２の処理空間が形成されていることにより、この第２の処理空間内の雰囲気が外部に出ることを防ぐことができ、かつ、外部の雰囲気が第２の処理空間内に入るのを防ぐことができる。また、第２の処理空間が閉じた空間となっていることにより、処理が実施される空間の容積を小さくすることができ、これによって処理の効率を上げることができる。具体的には、第２の処理空間内における、清浄化されたガスの置換効率を向上させることができる。
【０１１６】
また、第１の実施の形態による液処理装置１０と同様に、第２の実施の形態による液処理装置１０ａでも、図１２Ａに示すように、天板３２を加熱するための天板加熱機構として、ＬＥＤランプ３３が天板保持アーム３５に設けられていてもよい。このときに、天板３２が回転する際にもＬＥＤランプ３３は回転しないようになる。前述したように、ＳＰＭ液は、ウエハＷの上面に設けられたレジスト膜を除去するためにウエハＷの上面に吐出されるが、ＳＰＭ液がレジスト膜を除去する能力は、ＳＰＭ液の温度が高いほど高められる。このため、天板３２近傍にＬＥＤランプ３３を設け、このＬＥＤランプ３３により天板３２を加熱することにより、基板保持部２１に保持されたウエハＷ周囲の雰囲気も加熱され、ウエハＷの上面に吐出されるＳＰＭ液も加熱される。このことにより、ＳＰＭ液がレジスト膜を除去する能力を向上させることができるようになる。また、天板３２の下面にＳＰＭ液が付着した場合でも、ＬＥＤランプ３３によりこのＳＰＭ液を蒸発させることができる。
【０１１７】
また、第１の実施の形態による液処理装置１０と同様に、第２の実施の形態による液処理装置１０ａでも、図１３に示すように、天板収納部３８には、当該天板収納部３８に収納された天板３２を洗浄するための天板洗浄機構３８ａが設けられていてもよい。
【０１１８】
また、第１の実施の形態による液処理装置１０と同様に、第２の実施の形態による液処理装置１０ａでも、４つのノズル８２ａを支持する各ノズル支持アーム８２がカップ外周筒５０内の進出位置とこの進出位置から退避した退避位置との間で水平方向に移動するような構成の代わりに、ウエハＷに対してＳＰＭ液を供給する処理液供給ノズルが天板３２の下面に設置されていてもよい。この場合には、ＳＰＭ液を供給するノズル８２ａやこのノズル８２ａを支持するノズル支持アーム８２の設置を省略することができる。
【符号の説明】
【０１１９】
１０、１０ａ、１０ｂ  液処理装置
２１  基板保持部
３２  天板
４０  回転カップ
５０  カップ外周筒
７０  エアフード
８２ａ  ノズル
【図１】
0005420596.tif 000002
【図２】
0005420596.tif 000003
【図３】
0005420596.tif 000004
【図４】
0005420596.tif 000005
【図５】
0005420596.tif 000006
【図６】
0005420596.tif 000007
【図７】
0005420596.tif 000008
【図８】
0005420596.tif 000009
【図９】
0005420596.tif 000010
【図１０】
0005420596.tif 000011
【図１１】
0005420596.tif 000012
【図１２Ａ】
0005420596.tif 000013
【図１２Ｂ】
0005420596.tif 000014
【図１３】
0005420596.tif 000015
【図１４】
0005420596.tif 000016
【図１５】
0005420596.tif 000017
【図１６】
0005420596.tif 000018
【図１７】
0005420596.tif 000019